(57)【要約】【課題】  プッシャー型の遊戯装置において、押出部の長さを変えることなく、押出部の前進によって到達し得る載置台上の位置（最大押出位置）を変更可能とすること。【解決手段】  プッシャーテーブル部４Ａは、固定テーブル１０と、前後方向に移動する指示プレート３３にコイルばね３４によって接続され、支持プレート３３の移動に追従して固定テーブル１０上を前後方向に移動するスライドテーブル２０と、を備えている。また、箱体形状のスライドテーブル２０の内部空間には被制止板２１が、固定テーブル１０上には制止片１１が、それぞれ配設されている。そして、支持プレート３３が前進すると、コイルばね３４の付勢力によってスライドテーブル２０が前進し、前進途中で制止片１１と被制止板２１とが当接する（ｂ）。その後、更に支持プレート３３が前進すると、スライドテーブル２０は、当接している制止片１１及び被制止板２１によってそれ以上の前進が制止され、支持プレート３３の移動力を吸収してコイルばね３４が縮む（ｃ）。【選択図】      図４
2005081022.tif 000002
【特許請求の範囲】
【請求項１】
周期運動部の周期運動に従動することによって、載置台上で押出部が前進移動と後退移動とを繰り返す周期運動を行い、前記載置台上に載置された景品を押し出す景品押出装置において、
前記周期運動部と前記押出部とを接続し、前記周期運動部の動力を前記押出部に伝達する弾性体から成る接続部を備えたことを特徴とする景品押出装置。
【請求項２】
前記周期運動部に従動して往復運動を行い、前記接続部が所定量縮んだときに前記押出部を前進移動させる前進補助部を更に備えたことを特徴する請求項１に記載の景品押出装置。
【請求項３】
前記周期運動部に従動して往復運動を行い、前記接続部が所定量伸びたときに前記押出部を後退移動させる後退補助部を更に備えたことを特徴とする請求項１又は２に記載の景品押出装置。
【請求項４】
前記押出部に固定的に配設された被制止部と、
前記押出部の前進移動途中で前記被制止部に当接することにより前記押出部の前進方向への移動を制止する制止部と、
を更に備え、
前記被制止部と前記制止部とが当接した後の前記押出部の前記前進移動方向への移動に対する前記周期運動部の動力を前記接続部が弾性変形することによって吸収することを特徴とする請求項１〜３の何れか一項に記載の景品押出装置。
【請求項５】
前記制止部は、前記押出部の移動に伴う前記被制止部の移動経路に沿って配設位置が変更可能に配設されていることを特徴する請求項４に記載の景品押出装置。
【請求項６】
前記押出部の周期運動は往復運動であり、
前記制止部の配設位置を前記往復運動の移動方向に沿って移動させる移動手段を更に備えたことを特徴とする請求項４に記載の景品押出装置。
【請求項７】
前記押出部の周期運動は往復運動であり、
前記弾性体は圧縮コイルばねであって軸方向が前記往復運動の方向に沿うように配設されている、
ことを特徴とする請求項１〜６の何れか一項に記載の景品押出装置。
【請求項８】
請求項１〜７の何れか一項に記載の景品押出装置と、
前記載置部の端部下方に配設され、当該端部から落下した景品を払い出す景品払出部と、
を備えたことを特徴とする遊戯装置。
【発明の詳細な説明】
【技術分野】
【０００１】
本発明は、景品押出装置及び遊戯装置に関する。
【背景技術】
【０００２】
従来から、載置台上を押出部が周期的に往復移動することにより載置台上の景品を押し出して払い出す、いわゆるプッシャー型の遊戯装置が知られている。
【０００３】
また、プッシャー型の遊戯装置においては、景品のペイアウト率（払出率）を可変させる技術として、例えば次が知られている。即ち、特許文献１には、スライドテーブル（押出部）のストローク（移動量）を変更することによって払い出す景品の量を変化させるプッシャーゲーム装置（遊戯装置）が開示されている。かかるプッシャーゲーム装置では、ゲーム板（載置台）上を往復移動するプッシャーのストロークを変更することにより、落下溝に落下させるメダル（景品）の量を変化させている。
【特許文献１】特開平９−５１９８２号公報
【発明の開示】
【発明が解決しようとする課題】
【０００４】
ところで、押出部が前進時（景品の押出動作を行うとき）に到達し得る載置台上の最大位置である最大到達位置は、押出部の前後方向の長さに依存している。即ち、押出部の長さが長い程、最大押出位置が手前側となり、より多くの景品が押し出される。結果的に払い出される景品が多くなるため、景品のペイアウト率は、最大押出位置によって間接的に調整されるといえる。しかし、押出部の長さは固定的なものであり、例えば遊戯装置が設置された店舗等において自由に変更できるものではなかった。
また、載置台上の景品数に応じてストロークが変化できる遊戯装置は無く、載置台上から落下する景品数を安定させることができるものはなかった。
【０００５】
上記事情に鑑み、本発明は、プッシャー型の遊戯装置において、押出部の長さを変えることなく、押出部の前進によって到達し得る載置台上の位置（最大押出位置）を変更可能とするとともに、載置台から落下する景品数を、載置台上の景品数によらず安定させる、即ち景品のペイアウト率を安定させることを目的としている。
【課題を解決するための手段】
【０００６】
上記課題を解決するために、第１の発明は、
周期運動部の周期運動に従動することによって、載置台上で押出部が前進移動と後退移動とを繰り返す周期運動を行い、前記載置台上に載置された景品を押し出す景品押出装置において、
前記周期運動部と前記押出部とを接続し、前記周期運動部の動力を前記押出部に伝達する弾性体から成る接続部（例えば、図３のコイルばね３４、図７のコイルばね８５）を備えたことを特徴とする景品押出装置（例えば、図３のプッシャーテーブル部４Ａ、図７のプッシャーテーブル部４Ｂ）である。
【０００７】
ここで、「景品」とは、ゲームプレイで所定の条件をクリアした場合に払い出される褒美品や商品といったもののことであり、例えば小袋分けされた飴や菓子、おもちゃ、装飾品、各種グッズ、カプセル、遊戯媒体であるメダルやコイン等の総称である。
【０００８】
この第１の発明によれば、載置台上に載置された景品を、周期運動部の周期運動に従動して周期運動する押出部が押し出す景品押出装置において、周期運動部と押出部とが、周期運動部の周期運動による動力を押出部に伝達する接続部から成る接続部によって接続される。従って、押出部が景品を押し出す際、景品による反発力によって弾性体が変形するため、押出部が前進する際に到達し得る載置台上の最大位置（最大押出位置）が変化する。例えば、弾性体が縮む方向に変形する場合、押出部の前進方向への移動距離が短くなるため、最大到達位置が後方に移動する。即ち、より多くの景品が載置されている程、押出部に対する反発力が大きくなって弾性体がより縮むため、最大到達位置が後方に移動する。結果的に、押し出される景品の量が少なくなるため、載置台上から落下する景品数、即ちペイアウト率の安定が実現される。
【０００９】
また、第２の発明として、第１の発明の景品押出装置であって、
前記周期運動部に従動して往復運動を行い、前記接続部が所定量縮んだときに前記押出部を前進移動させる前進補助部（例えば、図３の凸部３５ａ）を更に備えた景品押出装置を構成しても良い。
【００１０】
この第２の発明によれば、第１の発明と同様の効果を奏するとともに、接続部が所定量縮んだときに押出部を前進移動させることができる。即ち、例えば周期運動部から伝達される動力以上の景品による反発力が発生し、押出部の前進移動が妨げられた場合であっても、前進移動を確実に行うことができる。
【００１１】
また、第３の発明として、第１又は２の発明の景品押出装置であって、
前記周期運動部に従動して往復運動を行い、前記接続部が所定量伸びたときに前記押出部を後退移動させる後退補助部（例えば、図３の凸部３５ｂ）を更に備えた景品押出装置を構成しても良い。
【００１２】
この第３の発明によれば、第１又は２の発明と同様の効果を奏するとともに、接続部が所定量伸びたときに押出部を後退移動させることができる。即ち、例えば載置台と押出部との間に発生する摩擦力によって押出部の後退移動が妨げられた場合であっても、後退移動を確実に行うことができる。
【００１３】
また、第４の発明として、第１〜３の何れかの発明の景品押出装置において、
前記押出部に固定的に配設された被制止部（例えば、図３の被制止板２１）と、
前記押出部の前進移動途中で前記被制止部に当接することにより前記押出部の前進方向への移動を制止する制止部（例えば、図３の制止片１１）と、
を更に備え、
前記被制止部と前記制止部とが当接した後の前記押出部の前記前進移動方向への移動に対する前記周期運動部の動力を前記接続部が弾性変形することによって吸収する景品押出装置を構成しても良い。
【００１４】
この第４の発明によれば、第１〜３の何れかの発明と同様の効果を奏するとともに、押出部が前進移動して制止部と被制止部とが当接すると、その後は、周期運動部の周期運動による動力が弾性体である接続部に吸収され、押出部はこの当接した位置以上に前進しない。即ち、制止部及び被制止部により、押出部の前後方向の長さを変えることなく、押出部の最大到達位置が変更される。
【００１５】
また、第５の発明として、第４の発明の景品押出装置であって、
前記制止部は、前記押出部の移動に伴う前記被制止部の移動経路に沿って配設位置が変更可能に配設された景品押出装置を構成しても良い。
【００１６】
この第５の発明によれば、第４の発明と同様の効果を奏するとともに、制止部の配設位置を押出部の移動に伴う被制止部の移動経路に沿って変更することができるため、制止部の配設位置を変更することで、最大押出位置を容易に変更することが可能となる。
【００１７】
また、第６の発明として、第４の発明の景品押出装置であって、
前記押出部の周期運動は往復運動であり、
前記制止部の配設位置を前記往復運動の移動方向に沿って移動させる移動手段（例えば、図７のストッパ機構８０）を更に備えた景品押出装置を構成しても良い。
【００１８】
この第６の発明によれば、第４の発明と同様の効果を奏するとともに、制止部の配設位置を押出部の往復運動の移動方向に沿って移動させることができるため、制止部の配設位置を移動させることで、最大押出位置を容易に変更することが可能となる。
【００１９】
また、第７の発明として、第１〜６の何れかの発明の景品押出装置であって、
前記押出部の周期運動は往復運動であり、
前記弾性体は圧縮コイルばねであって軸方向が前記往復運動の方向に沿うように配設されている、
景品押出装置を構成しても良い。
【００２０】
この第７の発明によれば、第１〜６の何れかの発明と同様の効果を奏するとともに、接続部は、軸方向が押出部の往復運動の方向に沿うように配設された圧縮コイルばねによって実現される。従って、押出部が往復運動すると、この方向に沿って圧縮コイルばねが伸縮するので、最大押出位置が前方又は後方に移動する。
【００２１】
また、第８の発明は、
第１〜７の何れかの発明に記載の景品押出装置と、
前記載置部の端部下方に配設され、当該端部から落下した景品を払い出す景品払出部（例えば、図２の景品払出溝７）と、
を備えたことを特徴とする遊戯装置（例えば、図１、２の遊戯装置１）である。
【００２２】
この第８の発明によれば、景品押出装置によって押し出され落下した景品を払い出す遊戯装置において、当該遊戯装置の備える景品押出装置により、第１〜７の何れかの発明と同様の効果を奏することができる。
【発明の効果】
【００２３】
本発明によれば、プッシャー型の遊戯装置において、景品を押し出す押出部が前進移動する際に到達し得る最大位置（最大押出位置）を容易に変更可能となる。
【発明を実施するための最良の形態】
【００２４】
以下、図面を参照して、本発明を実施するための最良の形態を説明する。
【００２５】
［遊戯装置の概要］
図１は、本発明を適用した遊戯装置１の外観図であり、図２は、天井部を取り除いた状態の遊戯装置１の平面図である。この遊戯装置１は、いわゆるプッシャー型と呼ばれる遊戯装置であり、主にゲームセンタ等の店舗に設置される業務用の遊戯装置である。
【００２６】
図１、２によれば、遊戯装置１は、複数の景品Ｋを積載するターンテーブル２と、ターンテーブル２上に積載された景品Ｋを掬い上げる掬い上げ装置３と、掬い上げた景品Ｋを載置し、押し出して景品払出溝７に落下させるプッシャーテーブル部４と、ジャックポット（ＪＰ）発生時にジャックポット用の景品Ｋを払い出すＪＰ払出装置５と、掬い上げ装置３の操作スイッチ６と、遊戯装置１を統合的に制御する制御装置９と、を主に備えて構成される。そして、遊戯装置１の筐体側面上部は、例えば透明なアクリル板等で構成され、遊戯装置１内部を視認可能に構成されている。
【００２７】
また、遊戯装置１は、平面視略六角形の形状をなしており、略六角形の各辺でプレーヤが遊ぶためのステーションが６つ備えられている。各ステーション毎に、掬い上げ装置３と、プッシャーテーブル部４と、ＪＰ払出装置５と、操作スイッチ６と、景品Ｋを取り出すための景品払出溝７に連通した景品払出口８と、が備えられており、６人のプレーヤが各ステーションにおいて同時にゲームを楽しむことができる。
【００２８】
ここで、以下の説明における方向を次のように定める。即ち、上下左右方向を図１に向かって上下左右の方向とし、また、奥行き方向は、各ステーションから遊戯装置１の中心に向かって前後（手前／奥）の方向とする。即ち、各ステーションでプレイするプレーヤの視点に立った上下左右及び前後の方向とする。
【００２９】
ターンテーブル２は、上向きに開口する環状溝を形成して有し、溝部分の底上面に多数の景品Ｋを積載するように構成されている。そして、遊戯装置１の略中心を軸中心として、遊戯装置１内を一定方向にゆっくりと回転する。
【００３０】
掬い上げ装置３は、２本のショベルアームと、景品Ｋを掬い上げ可能な曲面をなすショベルと、を有して構成され、２本のショベルアームとショベルとによって所定のリンク機構が形成されている。そして、操作スイッチ６からの操作信号に応じてショベルアームを駆動し、ショベルでターンテーブル２上の景品を掬い上げ、掬い上げた景品Ｋをプッシャーテーブル部４上に落下させるといった一連の掬い上げ動作を実行する。
【００３１】
ＪＰ払出装置５は、ＪＰ用の景品Ｋが収納されたバスケットと、バスケットを一端部に支持する支持アームと、を有して構成されている。そして、ＪＰが達成されると、支持アームが他端部を軸中心として手前側へ回転する（プレーヤ側に向かって倒れてくる）ことで、バスケットに収納された景品Ｋを景品払出溝７へ落下するように払い出すといった一連の払い出し動作を実行する。
【００３２】
続いて、本実施の形態の特徴部分であるプッシャーテーブル部４に適用される２つの実施形態を、順に説明する。
【００３３】
［第１実施形態］
先ず、第１実施形態を説明する。
【００３４】
＜プッシャーテーブル部の構成＞
図３（ａ）は、実施形態１におけるプッシャーテーブル部４Ａの平面図であり、同図（ｂ）は、同図（ａ）のＡＡ´矢視断面図である。図３によれば、プッシャーテーブル部４Ａは、景品Ｋを載置する固定テーブル１０と、固定テーブル１０上を前後方向に往復移動するスライドテーブル２０と、スライドテーブル２０を駆動して移動させるスライド機構３０と、を備えている。
【００３５】
スライド機構３０は、駆動軸の軸方向が鉛直に設けられたスライド用モータ３１と、一端部がスライド用モータ３１の駆動軸に固定され、他端部がローラ３２ａに取り付けられたアーム３２と、略平板の支持プレート３３と、支持プレート３３とスライドテーブル２０とを接続するコイルばね３４と、指示プレート３３に固定された補助板３５と、を備えている。
【００３６】
支持プレート３３の中央付近には、略長方形状のガイド溝３３ａが形成されている。ガイド溝３３ａは、長辺方向がスライドテーブル２０の移動方向（以下、「スライド方向」と称する。）に直交し、且つ短辺の長さがローラ３２ａの直径程度に形成されている。そして、このガイド溝３３ａには、ローラ３２ａの外周面とガイド溝３３ａの内周面とが当接するようにローラ３２が嵌められている。
【００３７】
コイルばね３４は、圧縮コイルばねであり、軸方向がスライド方向に沿うように設けられている。コイルばね３４の一端部は、支持プレート３３の前側面に固定されており、他端部は、スライドテーブル２０の後側面に固定されている。尚、同図では、２つのコイルばね３４が設けられているが、勿論これは幾つであっても良い。
【００３８】
従って、スライド用モータ３１が駆動すると、アーム３２がその一端部を中心軸として円弧Ｂを描くように回転し、この回転に伴って支持プレート３３が前後方向に往復運動する。即ち、スライド用モータ３１の駆動によって支持プレート３３が周期運動部となる。そして、この動力が、コイルばね３４を通じてスライドテーブル２０に伝達され、スライドテーブル２０が、支持プレート３３の往復運動に追従して前後方向に移動（スライド）する。
【００３９】
補助板３５は、その長手方向がスライド方向と平行になるように、一端が支持プレート３３の前端部の下面に固定されている。そして、補助板３５の他端は、箱体形状に形成されたスライドテーブル２０の内部に達している。また、補助板３５の中央付近及び前端部には、それぞれ、上方へ突出する凸部３５ａ及び３５ｂが形成されている。即ち、凸部３５ａは、支持プレート３３の前端部とスライドテーブル２０の後側面との間に位置しており、また、凸部３５ｂは、スライドテーブル２０の空間内において、スライドテーブル２０の内側の後側面と被制止板２１との間に位置している。
【００４０】
尚、同図は、支持プレート３３が最も前方に移動（前進）した位置（以下、「最前進位置」と称する。）を示しており、この状態を、以下、「最前進状態」と称する。これに対し、二点鎖線は、支持プレート３３が最も後方に移動（後退）した場合のアーム３２、ローラ３２ａ及び支持プレート３３の位置（以下、「最後退位置」と称する。）を示しており、この状態を、以下、「最後退状態」と称する。
【００４１】
スライドテーブル２０は、底面（下面）が開口した箱体形状をなしており、箱体形状の外側の後側面にはコイルばね３４の他端部が固定され、前側面には固定テーブル１０上に載置されている景品Ｋに当接して押し出す押出面２０ａが形成されている。そして、支持プレート３３が前後方向に往復運動すると、この動力がコイルばね３４を通じてスライドテーブル２０に伝達され、支持プレート３３の移動に追従して、スライドテーブル２０が前後方向に移動（スライド）する。
【００４２】
また、スライドテーブル２０の内部には被制止板２１が設けられている。被制止板２１は、下方に凸部を有するように形成されている。
【００４３】
固定テーブル１０は、ターンテーブル２上方において、遊戯装置１の中央から前方に向けて延出する平板であり、その前面端部は、景品払出溝７の上方に達している。また、固定テーブル１０の上面には、断面Ｌ字状に形成された制止片１１が、その長手方向がスライド方向と直交するようにねじ止めされている。
【００４４】
制止片１１は、固定テーブル１０に接する面１１ａに、長径方向がスライド方向に平行となるように形成された２つの長穴１１ａを有している。そして、固定テーブル１０の裏面（下面）側から、固定テーブル１０に設けられたねじ穴及び長穴１１ａを貫通する２つのねじ１２によって、制止片１１は、固定テーブル１０上にねじ止めされている。
【００４５】
また、制止片１１は、スライドテーブル２０の内部空間において、被制止板２１の前方であり、且つ、スライドテーブル２０の前進中に被制止板２１と当接し得る位置にねじ止めされている。更に、制止片１１のねじ止め位置は、長穴１１ａのどの位置でねじ止めするかによって変更可能である。そして、後述のように、ねじ止め位置によって、スライドテーブル２０の前進可能な最大位置が異なる。
【００４６】
＜プッシャーテーブル部の押出動作＞
次に、プッシャーテーブル部４Ａの押出動作について説明する。
図４は、プッシャーテーブル部４Ａの押出動作を説明するための図であり、前進する場合の様子を示している。
【００４７】
図４（ａ）は、最後退状態を示している。このとき、支持プレート３３は最後退位置に位置しており、押出面２０ａの位置Ｐ１は、取り得る最も後方の位置である。
【００４８】
また、図４（ｂ）は、同図（ａ）の状態から、支持プレート３３が前進して制止片１１と被制止板２１とが当接したときの状態を示している。このとき、支持プレート３３の移動距離に相当する長さだけ、押出面２０ａが前方の位置Ｐ２に移動している。
【００４９】
また、図４（ｃ）は、最前進状態を示す図である。このとき、支持プレート３３は更に前進して最前進位置に位置しているが、スライドテーブル２０は、被制止板２１と制止片１１とが当接しているため、これ以上に前進できない。このため押出面２０ａの位置Ｐ２は変化しない。そして、支持プレート３３の移動による動力はコイルばね３４に吸収され、コイルばね３４は、この支持プレート３３の移動に相当する長さΔＬ１だけ縮む。
【００５０】
このように、支持プレート３３が前進すると、この前進移動に追従してスライドテーブル２０が前進し、押出面２０ａが位置Ｐ１からＰ２まで移動する。尚、支持プレート３３が後方に移動（後退）する場合には、これと逆の動作となり、支持プレート３３の後退移動に追従してスライドテーブル２０が後退し、押出面２０ａが位置Ｐ２からＰ１まで移動する。そして、支持プレート３３が前進／後退を繰り返して周期的な往復運動を行うと、スライドテーブル２０も、前進／後退を繰り返して周期的な往復運動を行うことになる。
【００５１】
ここで、支持プレート３３が最前進位置に達した場合、即ち最前進状態でのスライドテーブル２０の押出面２０ａの位置を、以下、「最大押出位置」と称する。即ち、最大押出位置は、同図（ｂ）に示すように、被制止板２１と制止片１１とが当接したときのスライドテーブル２０の押出面２０ａの位置Ｐ２に相当する。
【００５２】
また、最大押出位置は、制止片１１のねじ止めの位置によって変化する。
図５は、制止片１１のねじ止めの位置によって最大押出位置が変化する様子を説明するための図である。同図（ａ）〜（ｃ）は、何れも、支持プレート３３が最前進位置に位置している最前進状態を示しているが、それぞれ、制止片１１のねじ止めの位置が異なっている。
【００５３】
即ち、同図（ａ）は、長穴１１ａの最後方部分の位置Ｍ１でねじ止めした場合を示している。このとき、最大押出位置は、取り得る最も前方の位置Ｐ３である。
また、同図（ｂ）は、長穴１１ａの中央部分付近の位置Ｍ２でねじ止めした場合を示している。このとき、最大押出位置は、位置Ｐ３の後方の位置Ｐ４である。
また、同図（ｃ）は、長穴１１ａの最前方部分の位置Ｍ３でねじ止めした場合を示している。このとき、最大押出位置は、取り得る最も後方の位置Ｐ５である。
【００５４】
このように、ねじ止めの位置によって最大押出位置が変化する。具体的には、ねじ止めの位置がＭ１からＭ３に変化すると、最大押出位置がＰ３からＰ５に変化する。そして、最大押出位置Ｐ３〜Ｐ５の変化分ΔＰ１は、ねじ止めの位置Ｍ１〜Ｍ３の変化分ΔＭ１、即ち長穴１１ａの長径に相当する。
【００５５】
更に、最大押出位置Ｐは、固定テーブル１０上に載置されている景品Ｋの量や重さ、密度等によって変化する。プッシャーテーブル部４Ａにおいては、スライドテーブル２０が前後方向に往復運動すると、スライドテーブル２０の押出面２０ａによって固定テーブル１０上に載置された景品Ｋが押され、前方に移動する。
【００５６】
図６は、固定テーブル１０上に載置された一定重量の景品Ｋの密度によって最大押出位置が変化する様子を説明するための図である。
【００５７】
図６（ａ）は、景品Ｋの密度が低い場合を示している。このとき、押出面２０ａに対する景品Ｋによる反発力Ｆは小さい（或いは、ほとんどない）ため、最大押出位置は、制止片１１と被制止板２１とが当接したときの押出面２０ａの位置Ｐ６となる。
【００５８】
また、同図（ｂ）は、固定テーブル１０上に載置された景品Ｋの密度（特に、押出面２０ａ前方付近の密度）が高い場合を示す図である。景品Ｋの密度が高いと、押出面２０ａに対する景品Ｋの反発力Ｆが大きくなり、この反発力Ｆによってコイルばね３４が縮む。そして、反発力Ｆがある程度以上になると、最大押出位置は、制止片１１と被制止板２１とが当接する際の押出面２０ａの位置Ｐ６よりも後方の位置Ｐ７となる。更に、景品Ｋの密度が高くなると、これに従って反発力Ｆが大きくなるため、最大押出位置はより後方へ移動することになる。勿論、景品Ｋの重量にもよるが、景品Ｋがより重い程、最大押出位置は後方へ移動する。
【００５９】
尚、景品Ｋの密度が更に高くなって反発力Ｆが所定値を超えると、この反発力Ｆによってスライドテーブル２０が前進できない、即ち押出動作が行われない事態が発生するおそれがある。しかし、この場合、支持プレート３３の前進によってコイルばね３４が縮み、補助板３５が有する凸部３５ａがスライドテーブル２０の外側の後面に当接する。そして、更に支持プレート３３が前進すると、凸部３５ａがスライドテーブル２０を前方に押すことで、スライドテーブル２０を強制的に前進させる、即ち最小限の押し出しを行わせることができる。
【００６０】
更に、スライドテーブル２０上に多数の景品が載置された場合等には、スライドテーブル２０と固定テーブル１０との間に所定値以上の摩擦力が発生し、この摩擦力によってスライドテーブル２０が移動しない事態が発生する恐れがある。しかし、この場合も、支持プレート３３の前進移動するとき、補助板３５が有する凸部３５ａがスライドテーブル２０の外側の後側面に当接し、凸部３５ａがスライドテーブル２０の後面を前方に押すことでスライドテーブル２０を強制的に前進させる、或いは、支持プレート３３が後退移動するとき、補助板３５が有する凸部３５ｂがスライドテーブル２０の内側の後側面と当接し、後方に押すことでスライドテーブル２０を強制的に後退させることができる。
【００６１】
＜効果＞
以上のように、第１実施形態によれば、プッシャーテーブル部４Ａにおいて、支持プレート３３の前進に追従してスライドテーブル２０が前進し、制止片１１と被制止板２１とが当接した後、更に支持プレート３３が前進すると、この移動力がコイルばね３４に吸収されてコイルばね３４が縮み、スライドテーブル２０は、制止片１１及び被制止板２１によってこれ以上の前進が制止される。従って、制止片１１と被制止板２１とが当接したときが、スライドテーブル２０の押出面２０ａが最も前進した位置（最大押出位置）となる。また、制止片１１は、長径方向がスライド方向に一致する長穴１１ａによって固定テーブル１０上にねじ止めされているので、この制止片１１のねじ止めの位置を変更することで、最大押出位置を容易にすることができる。
【００６２】
［第２実施形態］
次に、第２実施形態を説明する。
【００６３】
＜プッシャーテーブル部の構成＞
図７（ａ）は、第２実施形態におけるプッシャーテーブル部４Ｂの平面図であり、同図（ｂ）は、同図（ａ）のＣＣ´矢視断面図である。同図によれば、プッシャーテーブル部４Ｂは、景品Ｋを載置する固定テーブル６０と、固定テーブル６０上を前後方向に往復移動するスライドテーブル７０と、スライドテーブル７０を駆動して移動させるスライド機構８０と、スライドテーブル７０の前方への移動を制限するストッパ機構９０と、を備えている。
【００６４】
固定テーブル６０は、ターンテーブル２上方において、遊戯装置１の中央から前方に向けて延出する平板であり、その前面端部は、景品払出溝７の上方に達している。
【００６５】
スライド機構８０は、駆動軸の軸方向が鉛直に設けられたスライド用モータ８１と、一端部がスライド用モータ８１の回転軸に垂直に固定され、他端部にローラ８２ａが取り付けられたアーム８２と、スライドテーブル７０の移動方向（以下、「スライド方向」と称する。）と平行になるように設けられた２本の支持棒８３と、支持棒８３と直交するよう、支持棒８３に架け渡されて固定された２本のガイド棒８４と、軸部に沿って支持棒８３が挿通されたコイルばね８５と、を備えている。
【００６６】
支持棒８３は、一端側が、固定テーブル６０上に配設された２つの支持板６１に挿通され、他端側が、後述するスライドテーブル７０の被制止板７１に挿通されて、水平且つ前後方向（スライド方向）に沿って移動自在に保持されている。支持板６１は、長手方向がスライド方向と直交するように固定テーブル６０上に固定されており、その屈曲部１１ａには、支持棒８３が挿通される２つの挿通孔が同間隔をおいて形成されている。
【００６７】
ガイド棒８４は、ローラ８２ａの直径とほぼ同程度の間隔をあけて設けられている。そして、２本のガイド棒８４が対向して形成される隙間には、ローラ８２ａの外周面とガイド棒８４の対向している側端面とが当接するようにローラ８２ａが嵌められている。
【００６８】
コイルばね８５は、圧縮コイルばねであり、軸方向がスライド方向に沿うようになっている。また、コイルばね８５の一端部は、支持棒８３の中央付近に設けられている止め部８３ａに固定されており、他端部は、スライドテーブル７０の外側の後側面に設けられている止め部７０ｂに固定されている。
【００６９】
従って、スライド用モータ８１が駆動すると、アーム８２がその一端部を中心として円弧Ｄを描くように回転し、この回転に伴って支持棒８３が前後方向に往復運動する。即ち、スライド用モータ８１の駆動によって支持棒８３が周期運動部となる。そして、この動力が、コイルばね８５を通じてスライドテーブル７０に伝達され、スライドテーブル７０が、支持棒８３の往復運動に追従して前後方向に移動する。
【００７０】
尚、図７は、支持棒８３が最も前方に移動（前進）した位置（以下、「最前進位置」と称する。）を示しており、この状態を、以下、「最前進状態」と称する。これに対し、二点鎖線は、支持棒８３が最も後方に移動（後退）した場合のアーム８２、ローラ８２ａ及び支持棒８３の位置（以下、「最後退位置」と称する。）を示しており、この状態を、以下、「最後退状態」と称する。
【００７１】
スライドテーブル７０は、底面（下面）が開口した箱体形状をなしており、箱体形状の外側の後側面の止め部２０ｂにはコイルばね８５の他端部が固定され、前側面には固定テーブル６０上に載置されている景品Ｋに当接して押し出す押出面７０ａが形成されている。そして、支持棒８３が前後方向に移動すると、コイルばね８５の付勢力によってスライドテーブル７０が押され、スライドテーブル７０は、支持棒８３の移動に追従して前後方向に移動（スライド）する。
【００７２】
また、スライドテーブル７０の内部には被制止板７１が設けられている。被制止板７１は、断面コの字状に形成されており、開口部を下方に向けて固定されている。被制止板７１の対向する各屈曲部７１ａ、７１ｂには、それぞれ、同間隔をあけて２つの挿通孔が形成されており、これらの挿通孔に支持棒８３が移動自在に挿通されていることで、支持棒８３を、前後方向への移動自在に支持している。
【００７３】
ストッパ機構９０は、駆動軸の軸方向が鉛直に設けられたストッパ用モータ９１と、ストッパ用モータ９１の回転軸に接続され、略水平面で回転する歯車９２と、スライド方向と平行に設けられたラック９３と、を備えている。そして、歯車９２に対向するラック９３の側面にはラックギアが形成され、このギアが歯車９２と噛み合ってラック・ピニオン機構を構成している。
【００７４】
ラック９３は、前端部が、断面コの字状に形成された被制止板７１の開口部の下方に延在するように設けられており、前端部上面には、断面Ｌ字状のストッパ片９３ａが固定されている。ストッパ片９３ａは、スライドテーブル７０の内部空間において、スライドテーブル７０の前進中に、被制止板７１が有する屈曲部７１ａの後面或いは屈曲部７１ｂの前面と当接し得るように配設されている。
【００７５】
従って、ストッパ用モータ９１が駆動すると、歯車９２が回転してラック９３が前後方向に移動し、これに伴ってストッパ片９３ａが前後方向に移動する。具体的には、歯車９２が矢印Ｅ方向に回転すると、ラック９３が前方に移動してストッパ片９３ａが前方に移動し、また、これと逆方向に歯車９２が回転すると、ラック９３が後方に移動してストッパ片９３ａが後方に移動する。
【００７６】
また、ラック９３及び歯車９２は、固定テーブル６０に形成されたストッパ収容溝６０ａ内に収容されており、ラック９３の前端部上面に固定されているストッパ片９３ａのみが、固定テーブル６０上に現れている。即ち、ラック９３及び歯車９２がスライドテーブル７０の移動を妨げないようになっている。
【００７７】
＜プッシャーテーブル部の押出動作＞
次に、プッシャーテーブル部４Ｂの押出動作について説明する。図８は、プッシャーテーブル部４Ｂの押出動作を説明するための図であり、スライドテーブル７０が前進する場合の様子を示している。
【００７８】
図８（ａ）は、最後退状態を示している。このとき、支持棒８３は最後退位置に位置しており、押出面７０ａの位置Ｐ１は、取り得る最も後方の位置である。
【００７９】
また、図８（ｂ）は、同図（ａ）の状態から、支持棒８３が前進して被制止板７１とストッパ片９３ａとが当接したときの状態を示している。このとき、支持棒８３の移動距離に相当する長さだけ、押出面７０ａが前方の位置Ｐ１２に移動している。
【００８０】
また、図８（ｃ）は、最前進状態を示す図である。このとき、支持棒８３は更に前進して最前進位置に位置しているが、スライドテーブル７０は、被制止板７１とストッパ片９３ａとが当接しているため、これ以上に前進できない。このため、押出面７０ａの位置は変化せずＰ１２のままである。そして、コイルばね８５が、支持棒８３の移動力を吸収して、支持棒８３の移動距離に相当する長さΔＬ２だけ縮み、支持棒８３の前端部が被制止板７１の前方向に突出する。
【００８１】
このように、支持棒８３が前進すると、この前進移動に追従してスライドテーブル７０が前進し、押出面７０ａが位置Ｐ１１からＰ１２へ移動する。尚、支持棒８３が後退する場合には、これと逆の動作となり、支持棒８３の後退移動に追従してスライドテーブルが後退し、押出面７０ａが位置Ｐ１２からＰ１１へ移動する。そして、支持棒８３が前進／後退を繰り返して周期的な往復運動を行うと、スライドテーブル７０も、前進／後退を繰り返して周期的な往復運動を行うことになる。
【００８２】
ここで、支持棒８３が最も前方に移動した場合、即ち最前進状態でのスライドテーブル７０の押出面７０ａの位置を、以下、「最大押出位置」と称する。即ち、最大押出位置は、図８（ｂ）に示す、ストッパ片９３ａと被制止板７１とが当接したときのスライドテーブル７０の押出面７０ａの位置Ｐ１２に相当する。
【００８３】
尚、第２実施形態において、支持棒８３の、被制止板７１の屈曲部７１の前側（外側）端部に、後退時に屈曲部７１に当接するような凸部を設けることとしてもよい。この場合、第１実施形態の凸部３５ｂと同様の働きをする凸部を構成することができる。またこの場合、支持棒８０を止め部７０ｂにおいてスライドテーブル７０と固定せずとも、この凸部によってスライドテーブルの後方への移動を可能とすることができる。
【００８４】
また、最大押出位置は、ストッパ片９３ａの位置によって変化する。
図９は、ストッパ片９３ａの位置による最大押出位置の変化を説明するための図である。同図（ａ）〜（ｃ）は、何れも、支持棒８３が最前進位置に位置している最前進状態を示しているが、それぞれ、ストッパ片９３ａの位置が異なっている。
【００８５】
即ち、図９（ａ）は、ラック９３が最も後方に移動し、ストッパ片９３ａが移動し得る最も後方の位置Ｍ１１に位置する場合を示している。このとき、最大押出位置は、押出面７０ａが到達し得る最も後方の位置Ｐ１３である。
【００８６】
また、同図（ｂ）は、同図（ａ）に示す状態から、ラック９３が前方に移動してストッパ片９３ａの位置がＭ１１の前方の位置Ｍ１２に移動した場合を示している。このとき、最大押出位置は、Ｐ１３よりも前方の位置Ｐ１４である。
【００８７】
また、同図（ｃ）は、ラック９３が最も前方に移動し、ストッパ片９３ａが移動し得る最も前方の位置Ｍ１３に位置する場合を示している。このとき、最大押出位置は、押出面７０ａが到達し得る最も前方の位置Ｐ１５である。
【００８８】
このように、ストッパ片９３ａの位置によって最大押出位置が変化する。具体的には、ストッパ片９３ａの位置がＭ１１からＭ１３に変化すると、最大押出位置がＰ１３からＰ１５に変化する。そして、最大押出位置Ｍ１３〜Ｐ１５の変化分ΔＰ２は、ストッパ片９３ａの位置Ｍ１１〜Ｍ１３の変化分ΔＭ２に相当する。
【００８９】
＜効果＞
以上のように、第２実施形態によれば、プッシャーテーブル部４Ｂにおいて、支持棒８３の前進に追従してスライドテーブル７０が前進し、被制止板７１とストッパ片９３ａとが当接した後、更に支持棒８３が前進すると、この移動力がコイルばね８５に吸収されたコイルばね８５が縮み、スライドテーブル７０は、被制止板７１及びストッパ片９３ａによってこれ以上の前進が制止される。従って、被制止板７１とストッパ片９３ａとが当接したときの位置が、スライドテーブル７０の押出面７０ａが最も前進した位置（最大押出位置）となる。また、ストッパ片９３ａは、ストッパ機構９０によってその位置が移動・変更されるので、最大押出位置を容易にすることができる。
【００９０】
［変形例］
尚、本発明の適用は、上述した第１、２実施形態に限定されることなく、本発明の趣旨を逸脱しない範囲で適宜変更可能である。
【００９１】
例えば、上述した各実施形態では、スライドテーブル７０は前後方向への往復運動を行うこととしたが、運動の軌跡はこれに限らず、例えば回転運動や円弧運動等、一定周期で同一位置に回帰するような周期的な運動をすることとしても良い。
【００９２】
また、上述した各実施形態では、景品Ｋを獲得する遊戯装置１について説明したが、例えば固定テーブル上を移動するスライドテーブルにより押し出されたメダルが払い出される、いわゆるプッシャー型メダルゲーム装置の遊戯装置に適用することとしても良い。
【図面の簡単な説明】
【００９３】
【図１】遊戯装置の外観図。
【図２】遊戯装置の平面図。
【図３】第１実施形態におけるプッシャーテーブル部の（ａ）平面図、（ｂ）断面図。
【図４】第１実施形態におけるプッシャーテーブル部の押出動作を説明するた図。
【図５】制止片のねじ止め位置による最大押出位置の変化を説明する図。
【図６】景品の密度による最大押出位置の変化を説明する図。
【図７】第２実施形態におけるプッシャーテーブル部の（ａ）平面図、（ｂ）断面図。
【図８】第２実施形態におけるプッシャーテーブル部の押出動作を説明する図。
【図９】ストッパ片の位置による最大押出位置の変化を説明する図。
【符号の説明】
【００９４】
１  遊戯装置
２  ターンテーブル
３  掬い上げ装置
４（４Ａ、４Ｂ）  プッシャーテーブル部
１０、６０  固定テーブル
１１  制止片
１１ａ  長穴
１２  ねじ
６１  支持板
２０、７０  スライドテーブル
２０ａ、７０ａ  押出面
２１、７１  被制止板
３０、８０  スライド機構
３１、８１  スライド用モータ
３２、８２  アーム
３２ａ、８２ａ  ローラ
３３  支持プレート
３３ａ  ガイド溝
３４  コイルばね
３５  補助板
３５ａ、３５ｂ  凸部
８３  支持棒
８４  ガイド棒
８５  コイルばね
９０  ストッパ機構
９１  ストッパ用モータ
９２  歯車
９３  ラック
９３ａ  ストッパ片
５  ＪＰ払出装置
６  操作スイッチ
７  景品払出溝
８  景品払出口
９  制御装置
Ｋ  景品
【図１】
2005081022.tif 000003
【図２】
2005081022.tif 000004
【図３】
2005081022.tif 000005
【図４】
2005081022.tif 000006
【図５】
2005081022.tif 000007
【図６】
2005081022.tif 000008
【図７】
2005081022.tif 000009
【図８】
2005081022.tif 000010
【図９】
2005081022.tif 000011